(57)【要約】【課題】基地局装置の移行を行った端末装置に、移行前の基地局装置に通信を呼び戻す。【解決手段】無線で通信する通信部と、制御部と、を備え、前記制御部は、少なくとも第１端末装置との通信中に、第２端末装置と新たに開始する通信に要する通信量が未使用の通信量以下となる第１の場合において、前記第１端末装置と前記第２端末装置のいずれかである対象端末装置に、自装置とは別個の前記対象端末装置を圏内とする第２基地局装置との通信指示を送信し、前記対象端末装置との通信に要する通信量が前記未使用の通信量を超える第２の場合において、前記対象端末装置または前記第２基地局装置に、前記第２基地局装置から自装置への呼戻指示を送信する。【選択図】図７
2020127146.tif 000002
【特許請求の範囲】
【請求項１】
無線で通信する通信部と、
制御部と、を備え、
前記制御部は、
少なくとも第１端末装置との通信中に、第２端末装置と新たに開始する通信に要する通信量が未使用の通信量以下となる第１の場合において、前記第１端末装置と前記第２端末装置のいずれかである対象端末装置に、自装置とは別個の前記対象端末装置を圏内とする第２基地局装置との通信指示を送信し、
前記対象端末装置との通信に要する通信量が前記未使用の通信量を超える第２の場合において、前記対象端末装置または前記第２基地局装置に、前記第２基地局装置から自装置への呼戻指示を送信する
基地局装置。
【請求項２】
前記制御部は、
前記第１端末装置を前記対象端末装置として定める場合、前記第１端末装置との通信に用いる基地局装置として自装置から前記第２基地局装置への切り替えを示す切替指示を前記通信指示として送信する
請求項１に記載の基地局装置。
【請求項３】
前記制御部は、
前記第２端末装置を前記対象端末装置として定める場合、前記第２端末装置との通信に用いる基地局装置として前記第２基地局装置を示す前記通信指示を送信する
請求項１に記載の基地局装置。
【請求項４】
自装置が前記第２基地局装置と共通のネットワークに属するとき、
前記制御部は、
前記第２の場合、前記ネットワークを経由して前記第２基地局装置に前記呼戻指示を送信する
請求項１から請求項３の何れかに記載の基地局装置。
【請求項５】
自装置が前記第２基地局装置と異なるネットワークに属するとき、
前記制御部は、
前記対象端末装置に前記通信指示を送信した後、前記対象端末装置との接続を維持する
請求項１から請求項３の何れかに記載の基地局装置。
【請求項６】
前記制御部は、
通信に要する通信量が多い端末装置ほど自装置との通信を優先する
請求項１から請求項５の何れかに記載の基地局装置。
【請求項７】
前記制御部は、
移動して使用されうる端末装置よりも、固定して使用される端末装置と自装置との通信を優先する
請求項１から請求項６の何れかに記載の基地局装置。
【請求項８】
前記制御部は、
前記第２基地局装置で用いられる通信方式に対応した端末装置よりも、当該通信方式に対応していない端末装置と自装置との通信を優先する
請求項１から請求項７の何れかに記載の基地局装置。
【請求項９】
少なくとも第１基地局装置と第２基地局装置を備える通信システムであって、
前記第１基地局装置は、
無線で通信する通信部と、
制御部と、を備え、
前記制御部は、
少なくとも第１端末装置との通信中に、第２端末装置と新たに開始する通信に要する通信量が未使用の通信量以下となる第１の場合において、前記第１端末装置と前記第２端末装置のいずれかである対象端末装置に、自装置とは別個の前記対象端末装置を圏内とする前記第２基地局装置との通信指示を送信し、
前記対象端末装置との通信に要する通信量が前記未使用の通信量を超える第２の場合において、前記対象端末装置または前記第２基地局装置に、前記第２基地局装置から自装置への呼戻指示を送信する
通信システム。
【請求項１０】
無線で通信する通信部を備える基地局装置における通信方法であって、
前記基地局装置は、
少なくとも第１端末装置との通信中に、第２端末装置と新たに開始する通信に要する通信量が未使用の通信量以下となる第１の場合において、前記第１端末装置と前記第２端末装置のいずれかである対象端末装置に、自装置とは別個の前記対象端末装置を圏内とする第２基地局装置との通信指示を送信する第１ステップと、
前記対象端末装置との通信に要する通信量が前記未使用の通信量を超える第２の場合において、前記対象端末装置または前記第２基地局装置に、前記第２基地局装置から自装置への呼戻指示を送信する第２ステップと、
を有する通信方法。
【請求項１１】
無線で通信する通信部を備える基地局装置のコンピュータに、
少なくとも第１端末装置との通信中に、第２端末装置と新たに開始する通信に要する通信量が未使用の通信量以下となる第１の場合において、前記第１端末装置と前記第２端末装置のいずれかである対象端末装置に、自装置とは別個の前記対象端末装置を圏内とする第２基地局装置との通信指示を送信する第１ステップと、
前記対象端末装置との通信に要する通信量が前記未使用の通信量を超える第２の場合において、前記対象端末装置または前記第２基地局装置に、前記第２基地局装置から自装置への呼戻指示を送信する第２ステップと、
を実行させるためのプログラム。
【発明の詳細な説明】
【技術分野】
【０００１】
本発明は、基地局装置、通信システム、通信方法、及びプログラムに関する。
【背景技術】
【０００２】
無線通信システムは、一般に、複数の基地局装置を含んで構成され、個々の端末装置に無線通信サービスを提供する。無線通信システムでは、基地局装置ごとのカバレッジが空間的に配置されて、全体として通信サービスを提供可能とするサービス領域が形成されている。カバレッジとは、個々の基地局装置が電波を送受信することで端末装置に通信サービスを提供できる領域を示す。
【０００３】
サービス領域には、通例、複数のカバレッジが重なり合うように基地局装置が配置されている。個々のカバレッジには、同時に複数の端末装置が所在し、それぞれ通信を行うことがある。基地局装置は、接続している端末装置の数や通信品質に応じて他の基地局装置との間で通信に用いられる通信容量を分散することがある。
【０００４】
例えば、特許文献１に記載の無線通信システムでは、ユーザ端末は、通信中のネットワークの機能を用いて、移行要求を行うことで、他の無線ネットワークへの移行を実現する。より具体的には、ＬＴＥ（Ｌｏｎｇ  Ｔｅｒｍ  Ｅｖｏｌｕｔｉｏｎ）方式に基づく無線通信システムにおいて輻輳またはその兆候が生ずるとき、移行（リダイレクション）処理を行って、通信中の端末装置に対して、Ｗ−ＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ）方式に基づく他の無線通信システムの基地局装置を用いて通信を行えるようにすることがある。
【先行技術文献】
【特許文献】
【０００５】
【特許文献１】特表２０１４−５１２７６３号公報
【発明の概要】
【発明が解決しようとする課題】
【０００６】
しかしながら、従来の端末装置は、移行前に接続された基地局装置における通信状態を知得することができなかった。そのため、変更前のネットワークにおいて輻輳が解消されても、端末装置は、このままでは変更前に接続された基地局装置を用いた通信に戻ることができなかった。
【０００７】
本発明は上記の点に鑑みてなされたものであり、基地局装置の変更を行った端末装置に、変更前の基地局装置に通信を呼び戻すことができる基地局装置、通信システム、通信方法およびプログラムを提供する。
【課題を解決するための手段】
【０００８】
本発明は上記の課題を解決するためになされたものであり、本発明の一態様は、無線で通信する通信部と、制御部と、を備え、前記制御部は、少なくとも第１端末装置との通信中に、第２端末装置と新たに開始する通信に要する通信量が未使用の通信量以下となる第１の場合において、前記第１端末装置と前記第２端末装置のいずれかである対象端末装置に、自装置とは別個の前記対象端末装置を圏内とする第２基地局装置との通信指示を送信し、前記対象端末装置との通信に要する通信量が前記未使用の通信量を超える第２の場合において、前記対象端末装置または前記第２基地局装置に、前記第２基地局装置から自装置への呼戻指示を送信する基地局装置である。
【発明の効果】
【０００９】
本発明によれば、輻輳を回避しながら、基地局装置の変更を行った端末装置に対して変更前の基地局装置に通信を呼び戻すことができる。
【図面の簡単な説明】
【００１０】
【図１】第１の実施形態に係る通信システムにおける第１の事例を示す概念図である。
【図２】第１の実施形態に係る通信システムにおける第２の事例を示す概念図である。
【図３】第１の実施形態に係る通信システムにおける第３の事例を示す概念図である。
【図４】第１の実施形態に係る端末装置の構成例を示す概略ブロック図である。
【図５】第１の実施形態に係る第１基地局装置の構成例を示す概略ブロック図である。
【図６】第１の実施形態に係る第２基地局装置の構成例を示す概略ブロック図である。
【図７】第１の実施形態に係る通信処理の一例を示すシーケンス図である。
【図８】第１の実施形態に係る第１基地局装置の処理例を示すフローチャートである。
【図９】第１の実施形態に係る第２基地局装置の処理例を示すフローチャートである。
【図１０】第１の実施形態に係る端末装置の処理例を示すフローチャートである。
【図１１】第２の実施形態に係る通信システムにおける第１の事例を示す概念図である。
【図１２】第２の実施形態に係る通信システムにおける第２の事例を示す概念図である。
【図１３】第２の実施形態に係る通信システムにおける第３の事例を示す概念図である。
【図１４】第２の実施形態に係る端末装置の構成例を示す概略ブロック図である。
【図１５】第２の実施形態に係る第１基地局装置の構成例を示す概略ブロック図である。
【図１６】第２の実施形態に係る第２基地局装置の構成例を示す概略ブロック図である。
【図１７】第２の実施形態に係る通信処理の一例を示すシーケンス図である。
【図１８】第２の実施形態に係る第１基地局装置の処理例を示すフローチャートである。
【図１９】第２の実施形態に係る第２基地局装置の処理例を示すフローチャートである。
【図２０】第２の実施形態に係る端末装置の処理例を示すフローチャートである。
【図２１】第２の実施形態の変形例に係る通信システムにおける第１の事例を示す概念図である。
【図２２】第２の実施形態の変形例に係る通信システムにおける第２の事例を示す概念図である。
【図２３】第２の実施形態の変形例に係る通信システムにおける第３の事例を示す概念図である。
【図２４】第２の実施形態の変形例に係る通信処理の一例を示すシーケンス図である。
【図２５】第２の実施形態の変形例に係る第１基地局装置の処理例を示すフローチャートである。
【図２６】第２の実施形態の変形例に係る第２基地局装置の処理例を示すフローチャートである。
【図２７】第２の実施形態の変形例に係る端末装置の処理例を示すフローチャートである。
【発明を実施するための形態】
【００１１】
（第１の実施形態）
以下、図面を参照しながら本発明の第１の実施形態について説明する。
まず、本実施形態に係る通信システムの一例である通信システム１について説明する。
【００１２】
図１−図３は、本実施形態に係る通信システム１の一例を示す概念図である。
通信システム１は、複数の基地局装置と、１台または複数台の端末装置を含んで構成される。複数の基地局装置は、それぞれ所定の無線通信方式を用いて端末装置と通信可能とする。所定の無線通信方式は、例えば、５Ｇ（５ｔｈ  Ｇｅｎｅｒａｔｉｏｎ  Ｍｏｂｉｌｅ  Ｔｅｌｅｃｏｍｍｕｎｉｃａｔｉｏｎ  Ｓｙｓｔｅｍ）、ＬＴＥ、Ｗ−ＣＤＭＡ（登録商標）などのいずれであってもよい。図１−図３に示す例では、基地局装置の数は、２台である。以下の説明では、２台の基地局装置をそれぞれ第１基地局装置２０、第２基地局装置３０と呼んで区別する。第１基地局装置２０は屋内に設置され、第２基地局装置３０は屋外に設置され、いずれも公衆移動通信ネットワークを形成する。一般には、通信システム１における基地局装置の数は３台以上となりうる。
【００１３】
第１基地局装置２０、第２基地局装置３０のカバレッジの範囲内（以下、圏内）に所在する端末装置の数は、それぞれ２台、１台となる。それぞれの基地局装置の圏内に所在する端末装置の数は、３台以上となることも、０台となることもある。以下の説明では、他方、２台の端末装置を端末装置１０、電子機器４０と呼んで区別する。端末装置１０は、例えば、携帯電話機（いわゆるスマートフォンを含む）、タブレット端末装置、パーソナルコンピュータなどの情報処理端末である。端末装置１０は、第１基地局装置２０、第２基地局装置３０のそれぞれの圏内にあり、電子機器４０は、第１基地局装置２０の圏内であるが、第２基地局装置３０の圏外である。電子機器４０は、例えば、テレビジョン受信機、録画機、など、大容量のデータを継続して送信または受信する機能を有する機器である。
【００１４】
図１−図３では、端末装置１０が携帯電話機、電子機器４０が通信機能を有する超高精細度テレビジョン受信機（ＵＨＤＴＶ：Ｕｌｔｒａ  Ｈｉｇｈ  Ｄｅｆｉｎｉｔｉｏｎ  Ｔｅｌｅｖｉｓｉｏｎ）である場合を例にする。電子機器４０は、例えば、４Ｋ放送または８Ｋ放送（以下、放送、と総称）を受信可能とする。４Ｋ放送では、画素数が水平方向３８４０個×垂直方向２１６０であり、フレームレートが毎秒３０フレームもしくは６０フレームである映像が放送される。８Ｋ放送では、画素数が水平方向７６８０個×垂直方向４３２０であり、フレームレートが毎秒６０フレームもしくは１２０フレームである映像が放送される。家庭電化機器（以下、家電）のＩｏＴ（Ｉｎｔｅｒｎｅｔ  ｏｆ  Ｔｈｉｎｇｓ）化が進展し、家庭電化機器に通信機能が普及すると、従来の放送波によるテレビジョン放送とは別個に、通信ネットワークを経由した放送データの受信の普及も見込まれる。電子機器４０が８Ｋ放送の受信のために第１基地局装置２０が提供可能とする無線リソース（以下、リソース）の大部分を占有する可能性がある。
【００１５】
上記の無線通信方式では、端末装置１０は、移動により通信品質が低下すると通信に用いる基地局装置（以下、サービング基地局装置）をより優れた通信品質を提供できる基地局装置に切り替える。例えば、端末装置１０が第２基地局装置３０と通信しながら屋内に進入すると、第１基地局装置２０に切り替えて接続（通信接続Ｉ）を確立して通信を継続する（ハンドオーバ、図１）。電子機器４０の動作開始が指示され（電源ＯＮ）、８Ｋ放送の受信を開始する状況を仮定すると、第１基地局装置２０が安定した通信品質の通信を提供可能とする最大通信量を超え、第１基地局装置２０との通信において輻輳が生じる可能性がある。そこで、第１基地局装置２０は、電子機器４０との間で接続（通信接続ＩＩ）を確立するとき自装置とは別個の第２基地局装置３０と通信可能とする端末装置１０に対して、サービング基地局装置を第２基地局装置３０へ切り替え（リダイレクション）を示す通信指示情報を送信するとともに、通信指示情報を送信した端末装置１０と切り替え先の基地局装置に関する切替通信情報を記憶する（切り替え（図２））。
【００１６】
その後、電子機器４０の動作終了が指示され（電源ＯＦＦ）、第１基地局装置２０を経由した放送データの受信を終了すると、第１基地局装置２０が提供可能なリソースに空きが生じる。このとき、通信に係る通信量が最大通信量をより大きく下回るため、仮に端末装置１０との通信を新たに開始しても輻輳が生じる可能性が低い。そこで、第１基地局装置２０は、第２基地局装置３０に端末装置１０のサービング基地局装置を自装置への呼び戻しを示す呼戻指示情報を送信する（呼び戻し（図３））。第２基地局装置３０は、通信中の端末装置１０に対して第１基地局装置２０への切替指示を送信し、端末装置１０は、第２基地局装置３０との通信接続Ｉを解除するとともに第１基地局装置２０との通信接続Ｉを再度確立して通信を継続する。
【００１７】
（端末装置）
次に、本実施形態に係る端末装置１０の構成例について説明する。
図４は、本実施形態に係る端末装置１０の構成例を示す概略ブロック図である。
端末装置１０は、制御部１１と、通信部１２と、を含んで構成される。
制御部１１は、端末装置１０が有する各種の機能を制御する。制御部１１は、例えば、ＣＰＵ（Ｃｅｎｔｒａｌ  Ｐｒｏｃｅｓｓｉｎｇ  Ｕｎｉｔ）などの１個以上のプロセッサ、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）などの記憶媒体を含んで構成される。プロセッサは、記憶媒体に予め記憶されたプログラムを読み出し、読み出したプログラムで記述された命令で指示される処理を行って、以下に説明する各部の機能を実現してもよい。
【００１８】
制御部１１は、所定の無線通信方式に基づく通信に関する処理を行う。制御部１１が行う処理として、例えば、通信開始における接続処理、通信終了における切断処理、送信信号に対する処理（例えば、送信信号の取得、符号化、パケット化、変調など）、受信信号に対する処理（例えば、復調、パケットからの信号抽出、復号など）、受信信号に含まれる参照信号（接続中の基地局装置の他、未接続の基地局装置から受信した参照信号も含まれる）の測定、測定結果の報告、通信部１２に対するキャリア周波数制御などが含まれる。なお、制御部１１は、通信開始時において、予め記憶した自装置の端末情報（後述）を通信開始要求情報に含めて、通信部１２を用いてサービング基地局装置に送信してもよい。
【００１９】
制御部１１は、通信可能許可取得部１１２と、通信接続切替部１１４と、を含んで構成される。通信可能許可取得部１１２は、その時点で接続されている基地局装置（例えば、第２基地局装置３０）から通信部１２を用いて受信した受信信号に含まれる通信指示情報を取得する。通信指示情報としてその時点で接続されているサービング基地局装置から他の基地局装置（例えば、第１基地局装置２０）へのサービング基地局装置の切り替えを示す切替指示情報または他の基地局装置の使用を示す通信指示情報が取得されうる。また、通信可能許可取得部１１２は、その時点におけるサービング基地局装置から、切り替え前の基地局装置への呼び戻しを示す呼戻情報を取得することがある。呼戻指示情報は、切り替え前の基地局装置において輻輳もしくはその可能性が解消され、通信可能となったことを示す。通信指示情報には、通信可能とする基地局を示す基地局ＩＤが含まれてもよい。通信可能許可取得部１１２は、取得した通信指示情報または呼戻指示情報を通信接続切替部１１４に出力する。
【００２０】
通信接続切替部１１４は、通信可能許可取得部１１２から通信指示情報が入力されるとき、通信指示情報で示される基地局装置に、サービング基地局装置を切り替える。より具体的には、通信接続切替部１１４は、通信指示情報に含まれる基地局ＩＤで示される基地局装置に通信開始要求情報を送信する。通信接続切替部１１４は、通信開始要求情報に対する応答として通信開始通知情報を受信するとき、通信部１２に対して、通信開始要求情報の送信先である基地局装置へのサービング基地局装置の切り替えを示す制御信号を出力する。これにより、通信接続切替部１１４は、通信部１２に、基地局装置を切り替え、切り替え後の基地局装置との間で接続を確立し、通信を開始させることができる。
同様にして、通信接続切替部１１４は、通信可能許可取得部１１２から通信指示情報が入力されるとき、切替指示情報で示される基地局装置にサービング基地局装置を切り替える。ここで、通信接続切替部１１４は、切替指示情報で示される基地局装置に通信開始を示す通信開始要求情報を送信する。通信接続切替部１１４は、送信開始要求情報に対する応答として通信開始通知情報を受信するとき、通信部１２に対して、通信開始要求情報の送信先とする基地局装置へのサービング基地局装置の切り替えを示す制御信号を出力する。
【００２１】
通信部１２は、所定の無線通信方式に従って基地局装置との通信を行う。通信部１２は、例えば、無線通信インタフェースとして構成されてもよい。通信部１２は、第１受信部１２１と、第１送信部１２２と、を含んで構成される。
第１受信部１２１は、アンテナを用いて基地局装置から電波として受信した受信信号を制御部１１に出力する。
第１送信部１２２は、制御部１１から入力される送信信号をアンテナに供給して、電波として基地局装置に送信する。
なお、電子機器４０も、上述の端末装置１０と同様の構成を備えてもよい。
【００２２】
（基地局装置）
次に、本実施形態に係る基地局装置の構成例について説明する。以下の説明では、端末装置１０と第１基地局装置２０との通信中に、端末装置１０のサービング基地局装置が第１基地局装置２０から第２基地局装置３０に切り替えられ、その後、第２基地局装置３０から第１基地局装置２０に呼び戻される場合を主とする。この場合において、切り替え元である第１基地局装置２０、切り替え先である第２基地局装置３０として備えるべき機能、構成を主として説明する。従って、第１基地局装置２０、第２基地局装置３０は、それぞれ第２基地局装置３０の機能構成、第１基地局装置２０の機能構成を、備えてもよい。
【００２３】
図５は、本実施形態に係る第１基地局装置２０の構成例を示す概略ブロック図である。
第１基地局装置２０は、制御部２１と、通信部２２と、を含んで構成される。
制御部２１は、第１基地局装置２０が有する各種の機能を制御する。制御部２１は、例えば、１個以上のプロセッサ、記憶媒体を含んで構成される。プロセッサは、記憶媒体に予め記憶されたプログラムを読み出し、読み出したプログラムで記述された命令で指示される処理を行って、以下に説明する各部の機能を実現してもよい。
【００２４】
制御部２１は、所定の無線通信方式に基づく通信に関する一般的な処理を行う。制御部２１が行う処理として、例えば、通信開始に係る接続処理、通信終了に係る切断処理、通信経路の設定、各端末装置に対する測定設定の送信、測定報告の受信、送信信号に対する処理（例えば、第１無線通信方式で通信を実現するコアネットワークもしくは第２無線通信方式で通信を実現し自装置に接続された顧客構内設備（ＣＰＥ：Ｃｕｓｔｏｍｅｒ  Ｐｒｅｍｉｓｅｓ  Ｅｑｕｉｐｍｅｎｔ）から受信した送信信号に対する端末装置ごとに設定した無線リソースへの割当など）、受信信号に対する処理（例えば、端末装置から受信した受信信号の復調、端末装置ごとの無線リソースからの受信信号の抽出、復調、コアネットワークもしくはＣＰＥへの送信など）、測定報告に基づく無線リソースの割当、通信部１２に対するキャリア周波数制御などが含まれる。
【００２５】
制御部２１は、接続端末記憶部２１４と、通信状況判定部２１６と、を含んで構成される。
接続端末記憶部２１４は、その時点で自装置に接続されている端末装置１０ごとに、その端末装置１０に関する端末情報を記憶する。端末情報には、少なくとも個々の端末の識別情報が含まれる。個々の端末装置１０に係る端末情報は、例えば、ＩＭＥＩ（国際移動体装置識別番号：Ｉｎｔｅｒｎａｔｉｏｎａｌ  Ｍｏｂｉｌｅ  Ｅｑｕｉｐｍｅｎｔ  Ｉｄｅｎｔｉｆｉｅｒ）等の情報が含まれる。ＩＭＥＩは、ＴＡＣ（Ｔｙｐｅ  Ａｐｐｒｏｖａｌ  Ｃｏｄｅ）、ＦＡＣ（Ｆｉｎａｌ  Ａｓｓｅｍｂｌｙ  Ｃｏｄｅ）、ＳＮＲ（Ｓｅｒｉａｌ  Ｎｕｍｂｅｒ）およびチェックディジットからなる。ＴＡＣは、製造者・機種固有番号を示す。ＦＡＣは、原産国を示す。端末情報には、端末装置１０の種別を示す情報であるタイプ情報がさらに含まれてもよい。ＴＡＣとタイプ情報の一方または両方をもって、端末装置の種別（端末種別）が特定される。端末種別に応じて、通信で用いられる通信量が異なる。接続端末記憶部２１４は、通信開始通知情報を受信した時刻もしくは通信開始を判定した時刻を示す時刻情報を端末情報と対応付けて記憶してもよい。
【００２６】
制御部２１は、例えば、通信開始時において、端末装置１０から受信した通信開始通知情報から端末情報を抽出する。制御部２１は、端末装置１０から受信したアタッチ要求情報から端末情報を抽出してもよい。アタッチ要求情報は、在圏している端末装置１０から動作開始など通信開始前に取得される。
制御部２１は、端末装置１０と通信を行うと判定するとき接続端末記憶部２１４に抽出した端末情報を記憶する。また、制御部２１は、端末装置１０と通信相手との通信を終了すると判定するとき、その他、接続を切断するとき、その接続に係る端末装置１０の端末情報を消去する。
【００２７】
通信状況判定部２１６は、接続端末記憶部２１４に記憶されている端末装置ごとの端末情報を読み出す。通信状況判定部２１６は、読み出した端末情報が示す端末装置の種別と、既に通信を開始している端末装置ごとに割り当てたリソースに応じた通信量と、第１基地局装置２０が割当を許可する所定の最大通信量のうち未使用の通信量に基づいて、自装置と優先して通信を行う端末装置を定める。最大通信量は、通信部２２がその機能として実現可能とする最大限の通信量であってもよいし、通信のために使用を許可する最大限の通信量である。通例、後者の通信量は、前者の通信量よりも少ない。
通信状況判定部２１６は、自装置が割り当て可能とする未使用の通信量が、新たな通信開始要求情報の送信元となる端末装置１０（以下、通信開始要求端末）との通信に要求される通信量よりも多いとき、その通信開始要求端末との通信を開始すると判定する。通信状況判定部２１６には、例えば、予め機種ごとの通信量と、機種間の優先度を示す判定データを記憶しておく。通信状況判定部２１６は、判定データを参照して個々の端末情報が示す機種に対応する通信量と優先度を判定することができる。制御部２１は、通信を開始する端末装置１０との通信に用いるリソースを割り当て、割り当てたリソースを示すリソース情報を含めて通信開始通知情報を送信する。
【００２８】
通信状況判定部２１６は、未使用の通信量が、通信開始要求端末との通信に要求される通信量以下となるとき、その通信開始要求端末と、通信中の端末装置（以下、通信中端末）との間で、それぞれの端末装置１０との通信に要求される通信量の合計である総通信量が最大通信量を超えないように、優先して自装置と通信を行う端末装置を定める。通信状況判定部２１６は、より優先度が高い端末装置との通信を優先して維持または開始すると判定する。通信状況判定部２１６は、より優先度が低い端末装置に対して、サービング基地局装置の自装置とは別個の基地局装置（例えば、第２基地局装置３０）との通信を優先して行うと判定する。制御部２１は、通信状況判定部２１６が判定した別個の基地局装置との通信を示す通信指示情報（切替指示、リダイレクション）を端末装置１０に送信する。
【００２９】
通信状況判定部２１６は、通信指示情報の送信に係る端末装置（つまり、切り替え対象となった通信に係る端末装置）、指示した基地局装置（つまり、切り替え先の基地局装置）および優先して通信を行う端末装置（切り替えの原因となった通信に係る端末装置）を示す切替通信情報を保存してもよい。切替通信情報を参照することで、通信状況判定部２１６は、切り替え対象となった通信に係る端末装置と切り替え先の基地局装置を特定することができる。
そして、通信指示情報の送信後に未使用の通信量が、切り替え対象となった通信に係る通信開始要求端末との通信で要求される通信量よりも多くなる場合がある。このような場合には、例えば、切り替えの原因となった通信が終了し、その通信に用いていたリソースが解放される場合がある。このとき、通信状況判定部２１６は、切り替え対象となった通信に関して、切り替え先の基地局装置に自装置への呼び戻しを示す呼戻指示情報を、コアネットワーク（図示せず）を経由して送信する。コアネットワークには、通信システム１を構成する複数の基地局装置が接続される。通信状況判定部２１６は、送信した呼戻指示情報に係る切替通信情報を消去してもよい。
【００３０】
通信状況判定部２１６は、判定データを参照して定めた優先度が高い端末装置ほど、優先して通信を行うと判定する。判定データには、優先度を次に例示されるいずれの条件、またはそれらの条件の組み合わせに従って設定しておけばよい。
（１）優先度は、動作時により多くの通信量が要求される機種の端末装置１０ほど高くしておく。通信量が多い機種の端末装置１０との通信に要求される通信量は、他の基地局装置において未使用の通信量だけでは不足するために基地局装置の切り替えに失敗する可能性が高いためである。例えば、空調機、冷蔵庫、調理機など比較的小容量のセンサ情報を送信する機種よりも超高精細度テレビジョン受信機のように大容量の放送データを継続して受信する機種の優先度を高くすればよい。
（２）優先度は、通常の使用状態で移動が想定される機種の端末装置１０よりも固定して使用される機種の端末装置１０の優先度を高くしておく。
固定して使用される機種は、移動に制約があるため他の基地局装置の圏内で使用される可能性が低いためである。仮に他の基地局装置の圏内に含まれる位置に設置されていても、その基地局装置が提供可能とする通信量が他の通信により占有されるために、基地局装置の切り替えに失敗する可能性があるためである。例えば、移動が想定される携帯電話機などの情報端末装置よりも固定して設置される超高精細度テレビジョン受信機の優先度を高くすればよい。
【００３１】
（３）優先度は、自装置以外の基地局装置への接続を可能とする端末装置の優先度よりも、自装置への接続に対応するが自装置以外の基地局装置への接続できない端末装置（以下、自装置専用端末と呼ぶ）の優先度を高くしておく。
自装置への接続を可能とするケースには、例えば、自装置で利用可能とする第１無線通信方式（例えば、ＬＴＥ）で接続可能とするが、自装置の周囲の他の基地局装置では利用していない第２無線通信方式（例えば、ＩＥＥＥ８０２．１１）では接続できないケースがある。その他、自装置を含むネットワークに係る通信事業者と端末装置１０のユーザとサービス契約が締結されたが他の基地局装置を含むネットワークに係る通信事業者と端末装置１０のユーザとサービス契約が締結されていないケース、などがある。例えば、第１無線通信方式と第２無線通信方式のいずれでも接続可能とする携帯電話機よりも、第２無線通信方式でしか接続可能としないテレビジョン受信機について優先度を高くしておけばよい。
自装置専用端末を示す端末情報は、予め判定データに設定しておいてもよい。なお、通信状況判定部２１６は、優先度が同等の機種同士では、通信開始要求情報を受信した時刻が早いほど優先度を高くしてもよい。
【００３２】
通信状況判定部２１６は、通信開始要求端末から受信する測定報告に基づいて切り替え先とする別個の基地局装置を定めることができる。測定報告は、自装置ならびに自装置から地理的に所定範囲内に設置された周辺基地局装置の各セルから送信される参照信号の受信品質（例えば、受信レベル）を示す。通信状況判定部２１６は、例えば、受信品質が所定の受信品質の閾値を超える参照信号を送信する基地局装置のうち、もっとも受信品質が高い参照信号を送信するセルに係る自装置以外の基地局装置を切り替え先の基地局装置として定める。この受信品質の閾値は、通信開始要求端末がサービング基地局装置の圏内に在圏しているか否かを判定するための閾値であってもよい。制御部２１は、測定報告を取得するために測定対象とする基地局装置のセルごとの参照信号を示す測定設定情報を送信する。端末装置１０は、第１基地局装置２０から受信した測定設定情報が示す測定対象とする参照信号について受信品質を測定する。
【００３３】
通信部２２は、所定の無線通信方式に従って自装置に在圏する端末装置１０と通信を行う。通信部２２は、例えば、無線通信インタフェースとして構成されてもよい。通信部２２は、第１通信部２２ａと、第２通信部２２ｂと、を含んで構成される。第１通信部２２ａ、第２通信部２２ｂは、それぞれ第１の無線通信方式、第２の無線通信方式を用いて在圏する端末装置１０と通信を行う。
第１通信部２２ａは、第１受信部２２１と、第１送信部２２２と、を含んで構成される。第２通信部２２ｂは、第２受信部２２３と、第２送信部２２４と、を含んで構成される。
第１受信部２２１、第２受信部２２３は、それぞれアンテナを用いて端末装置１０から電波として受信した受信信号を制御部２１に出力する。
第１送信部２２２、第２送信部２２４は、制御部２１から入力される送信信号をアンテナに供給し、電波として基地局装置に送信する。
【００３４】
図６は、本実施形態に係る第２基地局装置３０の構成例を示す概略ブロック図である。
第２基地局装置３０は、制御部３１と、通信部３２と、を含んで構成される。
制御部３１は、第２基地局装置３０が有する各種の機能を制御する。制御部３１は、例えば、１個以上のプロセッサ、記憶媒体を含んで構成される。プロセッサは、記憶媒体に予め記憶されたプログラムを読み出し、読み出したプログラムで記述された命令で指示される処理を行って、以下に説明する各部の機能を実現してもよい。
制御部３１は、呼戻情報監視部３１２を含んで構成される。
呼戻情報監視部３１２は、コアネットワークを経由して呼戻指示情報を待ち受ける。呼戻情報監視部３１２は、自装置と通信中の端末装置１０のうち、呼戻指示情報に係る端末装置１０を特定し、呼戻指示情報の送信元である呼び戻し先の基地局装置（例えば、第１基地局装置２０）への切り替えを示す切替指示情報を特定した端末装置１０に送信する（リダイレクション）。
【００３５】
端末装置１０の制御部１１は、第２基地局装置３０から切替指示情報を受信するとき、もとの基地局装置との接続処理を行う。端末装置１０の制御部１１は、接続処理の完了後、第２基地局装置３０に接続完了を示す接続完了情報を送信する。第２基地局装置３０の制御部３１は、端末装置１０から接続完了情報を受信するとき、端末装置１０に対して割り当てたリソースを解放し、端末装置１０との接続を切断する。
その他、制御部３１は、所定の無線通信方式に基づく通信に関する処理を行う。処理内容は、第１基地局装置２０の制御部２１と同様であるため、その説明を援用する。
【００３６】
通信部３２は、所定の無線通信方式に従って自装置に在圏する端末装置１０と通信を行う。通信部３２は、例えば、無線通信インタフェースとして構成されてもよい。通信部３２は、第１受信部３２１と、第１送信部３２２と、を含んで構成される。第１受信部３２１の構成と、第１送信部３２２の構成は、それぞれ第１基地局装置２０の第１受信部２２１の構成と、第１送信部２２２の構成と、同様であるため、その説明を援用する。
【００３７】
（通信処理）
次に、本実施形態に係る通信処理の一例について説明する。
図７は、本実施形態に係る通信処理の一例を示すシーケンス図である。
図７に示す処理は、携帯電話機である端末装置１０が第１基地局装置２０と通信中であり、超高精細度テレビジョン受信機である電子機器４０の動作が停止している場合に開始される場合を例にする。また、この例では、第１基地局装置２０での未使用の通信量が電子機器４０との通信で要求される通信量以下となり、端末装置１０との通信量と未使用の通信量の合計が電子機器４０との通信に要求される通信量よりも多くなる場合を仮定する。
【００３８】
（ステップＳ１０２）電子機器４０は、ユーザの操作に応じて動作開始が指示されるとき、第１基地局装置２０との通信を開始する。電子機器４０は、自装置の端末情報を含む通信開始要求情報を第１基地局装置２０に送信する。第１基地局装置２０の接続端末記憶部２１４は、電子機器４０から受信した通信開始要求情報から端末情報を抽出して自部に記憶する。
（ステップＳ１０４）第１基地局装置２０の通信状況判定部２１６は、端末装置１０と電子機器４０それぞれの機種を特定し、端末装置１０の通信量と最大通信量に基づいて未使用の通信量を定める。通信状況判定部２１６は、電子機器４０との通信で要求される通信量を特定し、特定した通信量が未使用の通信量と比較して多いため、電子機器４０との通信を端末装置１０との通信よりも優先すると判定する。
通信状況判定部２１６は、端末装置１０からの測定報告に基づいて自装置が在圏している他の基地局装置として第２基地局装置３０を定める。制御部２１は、第２基地局装置３０への切り替えを示す通信指示情報を端末装置１０に送信する（リダイレクション）。
【００３９】
（ステップＳ１０６）端末装置１０の通信可能許可取得部１１２が、第１基地局装置２０から通信指示情報を受信するとき、通信接続切替部１１４は、通信指示情報で示される第２基地局装置３０に通信開始要求情報を送信する。
（ステップＳ１０８）第２基地局装置３０の制御部３１は、端末装置１０から受信した通信開始通知情報を受信するとき、通信開始通知情報を端末装置１０に送信する。端末装置１０の制御部１１は、第２基地局装置３０から通信開始通知情報を受信するとき、第２基地局装置３０との通信を開始する。
第１基地局装置２０の制御部２１は、端末装置１０との接続を切断し、端末装置１０に割り当てたリソースを解放する。これにより、端末装置１０と第１基地局装置２０との通信が終了する。
その後、第１基地局装置２０の制御部２１は、電子機器４０との間で接続処理を行い、電子機器４０との間で通信を開始する。電子機器４０との通信において、制御部２１は、例えば、電子機器４０から所定の放送事業者のコンテンツサーバ装置への放送データ要求情報を中継し、その後、コンテンツサーバから受信した放送データを電子機器４０に送信する。
【００４０】
（ステップＳ１１０）電子機器４０は、ユーザの操作に応じて動作終了が指示されるとき、第１基地局装置２０からの受信信号の受信を終了する（通信終了）。電子機器４０は、通信終了要求情報を第１基地局装置２０に送信する。第１基地局装置２０の制御部２１は、電子機器４０から通信終了要求情報を受信するとき電子機器４０との通信に割り当てたリソースを解放し、電子機器４０との接続を切断する。また、制御部２１は、接続端末記憶部２１４に記憶した電子機器４０の端末情報を消去する。
（ステップＳ１１２）第１基地局装置２０の通信状況判定部２１６は、接続端末記憶部２１４に記憶された端末情報を参照して、電子機器４０との通信の終了と未使用の通信量を判定する。未使用の通信量は、電子機器４０との通信時よりも解放されたリソースに応じた通信量を変化量として増加する。通信状況判定部２１６は、その時点において未使用の通信量がステップＳ１０４において基地局装置の切り替えを指示した端末装置１０との通信に要する通信量よりも多いと判定する。また、通信状況判定部２１６は、保存した切替通信情報を参照して、切り替え対象となった通信に係る端末装置１０と切り替え先の第２基地局装置３０を特定する。その後、制御部２１は、コアネットワークを経由して端末装置１０との通信について第２基地局装置３０に自装置への呼び戻しを示す呼戻指示情報を送信する。
【００４１】
（ステップＳ１１４）第２基地局装置３０の呼戻情報監視部３１２は、第１基地局装置２０から呼戻指示情報を受信するとき、通信中の端末装置のうち、呼戻指示情報で指示される端末装置１０との通信と呼び戻し先とする第１基地局装置２０を特定する。呼戻情報監視部３１２は、第１基地局装置２０に、その第１基地局装置２０への切り替えを示す切替指示情報を端末装置１０に送信する（リダイレクション）。
（ステップＳ１１６）端末装置１０の通信可能許可取得部１１２が第２基地局装置３０から切替指示情報を受信するとき、通信接続切替部１１４は、サービング基地局装置を第２基地局装置３０から第１基地局装置２０に切り替える。ここで、通信接続切替部１１４は、第１基地局装置２０へ通信開始要求情報を送信する。
【００４２】
（ステップＳ１１８）第１基地局装置２０の制御部２１は接続端末記憶部２１４に端末装置１０から受信した通信開始要求情報に含まれる端末情報を記憶する。通信状況判定部２１６は、端末装置１０との通信を開始すると判定する。制御部２１は、端末装置１０との接続処理を行い、接続を確立する。通信状況判定部２１６は、端末装置１０との通信に用いるリソースを割り当て、割り当てたリソース情報とともに通信開始通知情報を端末装置１０に送信する。その後、端末装置１０の制御部１１は、第１基地局装置２０から受信した通信開始通知情報に含まれるリソース情報が示すリソースを用いて第１基地局装置２０との通信を開始することができる。その後、図７に示す処理を終了する。
【００４３】
次に、本実施形態に係る第１基地局装置２０、第２基地局装置３０および端末装置１０における処理例について説明する。次に説明する処理例は、図７に示す処理における各装置の動作を示す。  
図８は、本実施形態に係る第１基地局装置２０の処理例を示すフローチャートである。
（ステップＳ２０２）制御部２１は、端末装置１０からの通信開始要求情報を待ち受け、端末装置１０と通信を行うか否かを判定する。制御部２１が通信を行うと判定するとき（ステップＳ２０２  ＹＥＳ）、ステップＳ２０４の処理に進む。制御部２１が通信を行わないと判定するとき（ステップＳ２０２  ＮＯ）、ステップＳ２０２の処理を繰り返す。
（ステップＳ２０４）通信状況判定部２１６は、端末装置１０の端末情報を接続端末記憶部２１４に記憶する。その後、ステップＳ２０６の処理に進む。
（ステップＳ２０６）制御部２１は、電子機器４０からの通信開始要求情報（接続要求）を待ち受け、通信開始要求情報を受信するとき（ステップＳ２０６  ＹＥＳ）、ステップＳ２０８の処理に進む。制御部２１は、通信開始要求情報を受信しないとき（ステップＳ２０６  ＮＯ）、ステップＳ２０６の処理を繰り返す。
【００４４】
（ステップＳ２０８）通信状況判定部２１６は、端末装置１０と電子機器４０それぞれの機種を特定し、端末装置１０の通信量と最大通信量に基づいて未使用の通信量を特定する。通信状況判定部２１６は、電子機器４０との通信で要求される通信量と未使用の通信量とを比較して、電子機器４０との通信を端末装置１０との通信よりも優先し、端末装置１０の通信先とする基地局装置を切り替えるか否かを判定する。通信状況判定部２１６が、基地局装置を切り替えると判定するとき（ステップＳ２０８  ＹＥＳ）、ステップＳ２１０の処理に進み、切り替えないと判定するとき（ステップＳ２０８  ＮＯ）、端末装置１０との通信を継続し、図８に示す処理を終了する。
（ステップＳ２１０）通信状況判定部２１６は、端末装置１０からの測定報告に基づいて自装置が在圏している他の基地局装置として第２基地局装置３０を定める。制御部２１は、第２基地局装置３０への切り替えを示す通信指示情報を端末装置１０に送信する（リダイレクション）。その後、ステップＳ２１２の処理に進む。
（ステップＳ２１２）制御部２１は、電子機器４０からの通信終了要求情報（切断要求）を待ち受け、通信終了要求情報を受信するとき（ステップＳ２１２  ＹＥＳ）、ステップＳ２１４の処理に進む。制御部２１は、通信終了要求情報を受信しないとき（ステップＳ２１２  ＮＯ）、ステップＳ２１２の処理を繰り返す。
【００４５】
（ステップＳ２１４）制御部２１は、電子機器４０との通信に割り当てたリソースを解放し、電子機器４０との接続を切断し、接続端末記憶部２１４に記憶した電子機器４０の端末情報を消去する。通信状況判定部２１６は、接続端末記憶部２１４に記憶された端末情報を参照して、電子機器４０との通信の終了と未使用の通信量を判定する。通信状況判定部２１６は、保存した切替通信情報を参照して、切り替え対象となった通信に係る端末装置１０と切り替え先の第２基地局装置３０を特定する。その後、制御部２１は、コアネットワークを経由して端末装置１０との通信について第２基地局装置３０に自装置への呼び戻しを示す呼戻指示情報を送信する。その後、図８に示す処理を終了する。
【００４６】
図９は、本実施形態に係る第２基地局装置３０の処理例を示すフローチャートである。
（ステップＳ３０２）制御部３１は、端末装置１０からの通信開始要求情報を待ち受け、端末装置１０と通信を行うか否かを判定する。制御部３１が通信を行うと判定するとき（ステップＳ３０２  ＹＥＳ）、ステップＳ３０４の処理に進む。制御部３１が通信を行わないと判定するとき（ステップＳ３０２  ＮＯ）、ステップＳ３０２の処理を繰り返す。
（ステップＳ３０４）制御部３１は、通信開始通知情報を端末装置１０に送信し、その後、端末装置１０との通信を開始する。その後、ステップＳ３０６の処理に進む。
【００４７】
（ステップＳ３０６）呼戻情報監視部３１２は、第１基地局装置２０からの呼戻指示情報を待ち受け、呼戻指示情報を受信したか否かを判定する。呼戻情報監視部３１２が呼戻指示情報を受信するとき（ステップＳ３０６  ＹＥＳ）、ステップＳ３０８の処理に進む。呼戻情報監視部３１２が呼戻指示情報を受信しないとき（ステップＳ３０６  ＮＯ）、ステップＳ３０６の処理を繰り返す。
（ステップＳ３０８）呼戻情報監視部３１２は、呼戻指示情報で指示される端末装置１０に、呼び戻し先として第１基地局装置２０への切り替えを示す切替指示情報を送信する。その後、図９に示す処理を終了する。
【００４８】
図１０は、本実施形態に係る端末装置１０の処理例を示すフローチャートである。
（ステップＳ４０２）制御部１１は、通信開始が指示されるとき、自装置がそのカバレッジ内に在圏している第１基地局装置２０に通信開始要求情報を送信する。制御部１１は、第１基地局装置２０から受信した通信開始通知情報に含まれるリソース情報で示されるリソースを用いて第１基地局装置２０との通信を開始する。その後、ステップＳ４０４の処理に進む。
（ステップＳ４０４）通信可能許可取得部１１２は、第１基地局装置２０からの通信指示情報（切替指示）を待ち受け、通信指示情報を受信したか否かを判定する。通信可能許可取得部１１２は、通信指示情報を受信するとき（ステップＳ４０４  ＹＥＳ）、ステップＳ４０６の処理に進む。通信指示情報を受信しないとき（ステップＳ４０４  ＮＯ）、ステップＳ４０４の処理を繰り返す。
【００４９】
（ステップＳ４０６）通信接続切替部１１４は、サービング基地局装置として第１基地局装置２０から、通信可能許可取得部１１２が受信した通信指示情報で示される第２基地局装置３０に切り替える。制御部１１は、第２基地局装置３０との通信を開始する。
その後、ステップＳ４０８の処理に進む。
（ステップＳ４０８）通信可能許可取得部１１２は、第２基地局装置３０からの通信指示情報（切替指示）を待ち受け、通信指示情報を受信したか否かを判定する。通信可能許可取得部１１２は、通信指示情報を受信するとき（ステップＳ４０８  ＹＥＳ）、ステップＳ４１０の処理に進む。通信指示情報を受信しないとき（ステップＳ４０８  ＮＯ）、ステップＳ４０８の処理を繰り返す。
【００５０】
（ステップＳ４１０）通信接続切替部１１４は、サービング基地局装置として第２基地局装置３０から、通信可能許可取得部１１２が受信した通信指示情報で示される第１基地局装置２０に切り替える。ここで、制御部１１は、第２基地局装置３０に通信終了要求情報を送信し、その応答として通信終了通知情報を受信するとき、第２基地局装置３０とのユーザデータの通信を終了する。その後、制御部１１は、第１基地局装置２０に通信開始要求情報を送信し、その応答として通信開始通知情報を受信するとき、通信開始通知情報に含まれるリソース情報が示すリソースを用いて第１基地局装置２０との通信を開始する。その後、図１０に示す処理を終了する。
【００５１】
（第２の実施形態）
次に、本発明の第２の実施形態について説明する。但し、上記の説明と共通の処理、構成については、共通の符号を付して、特に断らない限りその説明を援用する。
まず、本実施形態の概要について説明する。端末装置１０は、同時に異なるネットワークに属する複数の通信接続を確立する機能を有する。図１１に示す例では、本実施形態に係る通信システム２において、端末装置１０は、携帯電話機であり第１基地局装置２０との通信接続Ｉを確立し各種のユーザデータを送受信して通信を行うとともに、第２基地局装置３０との通信接続ＩＩＩを確立するがユーザデータの送受信を行わない。第１基地局装置２０は、例えば、構内無線通信方式（例えば、ＩＥＥＥ８０２．１１等）を用いて無線通信サービスを提供する基地局装置（例えば、無線ルータ）である。第２基地局装置３０は、例えば、公衆無線通信方式（例えば、５Ｇ、ＬＴＥ、Ｗ−ＣＤＭＡ（登録商標）等）を用いて無線通信サービスを提供する基地局装置である。いずれのネットワークを構成する基地局装置とのアクセスを確保する。また、第１基地局装置２０、第２基地局装置３０が属するネットワークを、それぞれ第１ネットワーク、第２ネットワークと呼ぶことがある。この時点では、超高精細度テレビジョン受信機である電子機器４０は、第１基地局装置２０と第２基地局装置３０のいずれとも通信を行っていない。
【００５２】
その後、電子機器４０との通信接続ＩＩを確立するとき、第１基地局装置２０は、第２基地局装置３０と通信可能とする端末装置１０に対して、サービング基地局装置として第２基地局装置３０への切り替えを示す通信指示情報を送信するとともに、通信指示情報を送信した端末装置１０に関する切替通信情報を記憶する（切り替え（図１２））。この段階では、電子機器４０は第１基地局装置２０を経由して第１ネットワークを用いて通信を行うのに対し、端末装置１０は、第２基地局装置３０を経由して第２ネットワークを用いて通信を行う。
【００５３】
電子機器４０が第１基地局装置２０を経由した放送データの受信を終了するとき（電源ＯＦＦ）、第１基地局装置２０は、端末装置１０に対してサービング基地局装置の第２基地局装置３０から自装置への呼び戻しを示す呼戻指示を送信する（呼び戻し（図１３））。端末装置１０は、第２基地局装置３０との通信を終了し、第１基地局装置２０との通信を再開する。従って、本実施形態によれば、切り替え対象とした端末装置１０との通信接続ＩＩＩを維持しながら、異なるネットワーク間でサービング基地局装置を切り替えることができる。このことにより、端末装置１０は、切り替え前のネットワークを用いて、ページング情報（着信）を受信でき、呼び戻しの際に最初から接続処理を行うことなく即座に通信を再開することができる。
【００５４】
（端末装置）
次に、本実施形態に係る端末装置１０の構成例について説明する。
図１４は、本実施形態に係る端末装置１０の構成例を示す概略ブロック図である。
端末装置１０は、制御部１１と、通信部１２と、を含んで構成される。
制御部１１は、通信可能許可取得部１１２と、通信接続切替部１１４と、を含んで構成される。
通信接続切替部１１４は、通信指示情報に基づいてサービング基地局装置を変更する場合でも、制御部１１は、切り替え対象の基地局装置との接続を切断せずに維持する。また、通信接続切替部１１４が呼戻指示情報に基づいてサービング基地局装置を、切り替え前の基地局装置に戻って再度切り替える場合でも、制御部１１は、再度の切り替え前の基地局装置との接続を切断せずに維持してもよい。制御部１１は、端末装置１０と相手先装置との通信が終了するときに接続を切断する。その時点で維持された、その端末装置１０に係る接続が存在する場合には、制御部１１は、その接続も含めて切断する。
【００５５】
通信部１２は、第１通信部１２ａと、第２通信部１２ｂと、を含んで構成される。第１通信部１２ａは、所定の第１無線通信方式を用いて、第１ネットワークに属する基地局装置と通信を行う。第１通信部１２ａは、第１受信部１２１と、第１送信部１２２と、を含んで構成される。
第２通信部１２ｂは、第２受信部１２３と、第２送信部１２４と、を含んで構成される。第２通信部１２ｂは、所定の第２無線通信方式を用いて、第２ネットワークに属する基地局装置と通信を行う。第２通信部１２ｂは、第２受信部１２３と、第２送信部１２４と、を含んで構成される。第２受信部１２３、第２送信部１２４は、それぞれ第１受信部１２１、第１送信部１２２と同様に基地局装置から無線で伝送された受信信号を受信し、基地局装置に送信信号を無線で送信する。
【００５６】
（基地局装置）
次に、本実施形態に係る基地局装置の構成例について説明する。
図１５は、本実施形態に係る第１基地局装置２０の構成例を示す概略ブロック図である。
第１基地局装置２０は、制御部２１と、通信部２２と、を含んで構成される。
制御部２１は、接続端末記憶部２１４と、通信状況判定部２１６と、を含んで構成される。
本実施形態では、通信状況判定部２１６が、より優先度が低い端末装置に対して、自装置とは別個の基地局装置との通信を行うと判定するとき、制御部２１は通信状況判定部２１６が判定した別個の基地局装置との通信を示す通信指示情報を、その端末装置に送信する。但し、制御部２１は、その端末装置と通信を停止するが接続を切断せずに維持する。制御部２１は、その端末装置との接続に要するリソースを維持し、ユーザデータの通信に係るリソースを解放する。接続に要するリソースに応じた通信量は、通例、ユーザデータの通信に係るリソースに応じた通信量よりも格段に小さく、無視できる程度となることもある。
【００５７】
通信指示情報の送信後に未使用の通信量が、切り替え対象となった通信に係る通信開始要求端末との通信で要求される通信量よりも多くなる場合、通信状況判定部２１６は、切り替え対象となった通信に係る端末装置１０に対して、切り替え先の基地局装置から自装置への呼び戻しを示す呼戻指示情報を送信する。そして、制御部２１は、その端末装置とのユーザデータの通信に要するリソースを再度割り当て、ユーザデータの通信を再開する。
また、制御部２１は、端末装置１０から維持していた接続の解除を示す接続解除要求情報を受信するとき、その端末装置１０との接続を解除してもよい。端末装置１０の制御部１１は、例えば、通信相手先との通信の終了、自装置の動作終了、などが操作により指示されるとき、接続を維持していた基地局装置のそれぞれに接続解除要求情報を送信する。これにより、無用な通信接続が解除される。
【００５８】
通信部２２は、第１通信部２２ａと、第２通信部２２ｂと、を含んで構成される。第１通信部２２ａ、第２通信部２２ｂは、それぞれ第１の無線通信方式、第２の無線通信方式を用いて在圏する端末装置１０と通信を行う。
第１通信部２２ａは、第１受信部２２１と、第１送信部２２２と、を含んで構成される。第２通信部２２ｂは、第２受信部２２３と第２送信部２２４を含んで構成される。
【００５９】
図１６は、本実施形態に係る第２基地局装置３０の構成例を示す概略ブロック図である。
第２基地局装置３０は、制御部３１と、通信部３２と、を含んで構成される。
本実施形態では、制御部３１は、呼戻情報監視部３１２（図６）が省略されてもよい。
【００６０】
次に、本実施形態に係る通信処理の一例について説明する。図１７は、本実施形態に係る通信処理の一例を示すシーケンス図である。
図１７に示す処理は、携帯電話機である端末装置１０が第１基地局装置２０と通信接続Ｉを確立してユーザデータの通信を行い、かつ、第２基地局装置３０と通信接続ＩＩＩとの接続を維持しているがユーザデータの通信を行わない場合に開始される場合を例にする（図１１参照）。そして、超高精細度テレビジョン受信機である電子機器４０が第１基地局装置２０との通信を開始し（図１２参照）、その後、第１基地局装置２０と電子機器４０との通信を終了する場合が仮定されている（図１３参照）。
【００６１】
（ステップＳ１２２）電子機器４０は、ユーザの操作に応じて動作開始が指示されるとき、第１基地局装置２０との通信を開始する。電子機器４０は、自装置の端末情報を含む通信開始要求情報を第１基地局装置２０に送信する。
第１基地局装置２０の接続端末記憶部２１４は、端末装置１０から受信した通信開始要求情報から端末情報を抽出して自部に記憶する。
【００６２】
（ステップＳ１２４）第１基地局装置２０の通信状況判定部２１６は、端末装置１０と電子機器４０それぞれの機種を特定し、電子機器４０との通信量と最大通信量に基づいて未使用の通信量を特定する。通信状況判定部２１６は、端末装置１０との通信で要求される通信量を特定し、特定した通信量が未使用の通信量と比較して多いため、電子機器４０との通信を端末装置１０との通信よりも優先すると判定する。
通信状況判定部２１６は、端末装置１０からの測定報告に基づいて自装置が在圏している他の基地局装置として第２基地局装置３０をサービング基地局装置として定める。制御部２１は、第２基地局装置３０を用いた通信を指示する通信指示情報を端末装置１０に送信する。制御部２１は、端末装置１０とのユーザデータの通信を停止し、その通信のためのリソースを解放する。但し、制御部１１は、端末装置１０との接続を維持する。
他方、制御部２１は、電子機器４０との通信に用いるリソースを割り当て、割り当てたリソースを示すリソース情報とともに通信開始通知情報を電子機器４０に送信する。電子機器４０は、第１基地局装置２０から通信開始通知情報を受信するとき、通信開始通知情報とともに通知されたリソース情報が示すリソースを用いて第１基地局装置２０との通信を開始する。電子機器４０は、第１基地局装置２０を経由して、放送事業者のサーバ装置から放送データを受信する。
【００６３】
（ステップＳ１２６）端末装置１０の通信可能許可取得部１１２が、第１基地局装置２０から通信指示情報を受信するとき、通信接続切替部１１４は、通信指示情報で示される第２基地局装置３０に通信開始要求情報を送信する。
（ステップＳ１２８）第２基地局装置３０の制御部３１は、端末装置１０から受信した通信開始通知情報を受信するとき、端末装置１０とのユーザデータの通信に用いるにリソースを割り当てる。制御部３１は、割り当てたリソースを示すリソース情報とともに通信開始通知情報を端末装置１０に送信する。端末装置１０の制御部１１は、第２基地局装置３０から通信開始通知情報を受信するとき、通知されたリソース情報が示すリソースを用いて第２基地局装置３０とのユーザデータの通信を開始する。  
【００６４】
（ステップＳ１３０）電子機器４０は、ユーザの操作に応じて動作終了が指示されるとき、第１基地局装置２０との通信を終了する。電子機器４０は、通信終了要求情報を第１基地局装置２０に送信する。
第１基地局装置２０の制御部２１は、電子機器４０から通信終了要求情報を受信するとき電子機器４０との通信に割り当てたリソースを解放し、電子機器４０との接続を切断する。また、制御部２１は、接続端末記憶部２１４に記憶した電子機器４０の端末情報を消去する。制御部２１は、電子機器４０に通信終了通知情報を送信する。電子機器４０は、第１基地局装置２０から通信終了通知情報を受信するとき、自装置の動作を停止する。
（ステップＳ１３２）第１基地局装置２０の通信状況判定部２１６は、接続端末記憶部２１４に記憶された端末情報を参照して、電子機器４０との通信の終了と未使用の通信量を判定する。通信状況判定部２１６は、その時点において未使用の通信量が端末装置１０との通信に要する通信量よりも多いと判定する。そして、通信状況判定部２１６は、保存した切替通信情報を参照して切り替え対象となった通信に係る端末装置１０を特定する。その後、制御部２１は、端末装置１０に、サービング基地局装置として第２基地局装置３０から自装置への呼び戻しを示す呼戻指示情報を送信する。
【００６５】
（ステップＳ１３４）端末装置１０の通信可能許可取得部１１２が第１基地局装置２０から呼戻指示情報を受信するとき、通信接続切替部１１４は、サービング基地局装置を第２基地局装置３０から第１基地局装置２０に切り替える。ここで、通信接続切替部１１４は、第２基地局装置３０へ通信終了要求情報を送信する。
（ステップＳ１３６）第２基地局装置３０の制御部３１は、端末装置１０から通信終了要求情報を受信し、端末装置１０とのユーザデータの通信を停止する。制御部３１は、端末装置１０へ通信終了通知情報を送信する。
但し、制御部３１は、端末装置１０との接続を切断せずに維持する。制御部３１は、接続に要するリソースを確保し、ユーザデータの通信に要するリソースを解放する。
【００６６】
（ステップＳ１３８）端末装置１０の制御部１１は、第２基地局装置３０から通信終了通知情報を受信するとき、第１基地局装置２０へ通信開始要求情報を送信する。
（ステップＳ１４０）第１基地局装置２０の制御部２１は、接続端末記憶部２１４に端末装置１０から受信した通信開始要求情報に含まれる端末情報を記憶する。通信状況判定部２１６は、端末装置１０との通信を開始すると判定する。通信状況判定部２１６は、端末装置１０とのユーザデータの通信に用いるリソースを割り当て、割り当てたリソース情報を含めた通信開始通知情報を端末装置１０に送信する。その後、端末装置１０の制御部１１は第１基地局装置２０から受信した通信開始通知情報に含まれるリソース情報が示すリソースを用いて第１基地局装置２０との通信を再開する。その後、図１７に示す処理を終了する。
【００６７】
次に、本実施形態に係る第１基地局装置２０、第２基地局装置３０および端末装置１０における処理例について説明する。次に説明する処理例は、図１７に示す処理における各装置の動作を示す。  
図１８は、本実施形態に係る第１基地局装置２０における処理例を示すフローチャートである。
（ステップＳ２２２）制御部２１は、端末装置１０との通信を開始するとき、端末装置１０からの通信開始要求情報を受信する。その後、ステップＳ２２４の処理に進む。
（ステップＳ２２４）通信状況判定部２１６は、端末装置１０の端末情報を接続端末記憶部２１４に記憶する。その後、ステップＳ２２６の処理に進む。
（ステップＳ２２６）制御部２１は、電子機器４０からの通信開始要求情報（接続要求）を待ち受け、通信開始要求情報を受信するとき（ステップＳ２２６  ＹＥＳ）、ステップＳ２２８の処理に進む。制御部２１は、通信開始要求情報を受信しないとき（ステップＳ２２６  ＮＯ）、ステップＳ２２６の処理を繰り返す。
【００６８】
（ステップＳ２２８）通信状況判定部２１６は、端末装置１０と電子機器４０それぞれの機種を特定し、端末装置１０の通信量と最大通信量に基づいて未使用の通信量を特定する。通信状況判定部２１６は、電子機器４０との通信で要求される通信量と未使用の通信量と比較して、電子機器４０との通信を端末装置１０との通信よりも優先し、端末装置１０の通信先とする基地局装置を切り替えるか否かを判定する。通信状況判定部２１６が、基地局装置を切り替えると判定するとき（ステップＳ２２８  ＹＥＳ）、ステップＳ２３０の処理に進む。通信状況判定部２１６が基地局装置を切り替えないと判定するとき（ステップＳ２２８  ＮＯ）、制御部２１は、端末装置１０との接続を維持し、端末装置１０との通信を継続する。その後、制御部２１は、図１８に示す処理を終了する。
（ステップＳ２３０）通信状況判定部２１６は、端末装置１０からの測定報告に基づいて自装置が在圏している他の基地局装置として第２基地局装置３０を定める。制御部２１は、第２基地局装置３０への切り替えを示す通信指示情報を端末装置１０に送信する。但し、制御部２１は、端末装置１０との接続を維持する。その後、ステップＳ２３２の処理に進む。
（ステップＳ２３２）制御部２１は、電子機器４０からの通信終了要求情報（切断要求）を待ち受け、通信終了要求情報を受信するとき（ステップＳ２３２  ＹＥＳ）、ステップＳ２３４の処理に進む。制御部２１は、通信終了要求情報を受信しないとき、ステップＳ２３２の処理を繰り返す。
【００６９】
（ステップＳ２３４）制御部２１は、電子機器４０との通信に割り当てたリソースを解放し、電子機器４０との接続を切断し、接続端末記憶部２１４に記憶した電子機器４０の端末情報を消去する。通信状況判定部２１６は、接続端末記憶部２１４に記憶された端末情報を参照して、電子機器４０との通信の終了と未使用の通信量を判定する。通信状況判定部２１６は、保存した切替通信情報を参照して、切り替え対象となった通信に係る端末装置１０と切り替え先の第２基地局装置３０を特定する。その後、制御部２１は、端末装置１０にサービング基地局装置として第２基地局装置３０から自装置への呼び戻しを示す呼戻指示情報を送信する。その後、図１８に示す処理を終了する。
【００７０】
図１９は、本実施形態に係る第２基地局装置３０における処理例を示すフローチャートである。ステップＳ３２２、Ｓ３２４の処理は、それぞれステップＳ３０２、Ｓ３０４の処理と同様であるため、それらの説明を援用する。
ステップＳ３２４において、制御部３１が割り当てたリソースを用いて端末装置１０との通信を開始した後、ステップＳ３２６の処理に進む。
（ステップＳ３２６）制御部３１は、端末装置１０からの通信終了要求情報を待ち受け、通信終了要求情報を受信したか否かを判定する。制御部３１が通信終了要求情報を受信するとき（ステップＳ３２６  ＹＥＳ）、ステップＳ３２８の処理に進む。制御部３１が通信終了要求情報を受信しないとき（ステップＳ３２６  ＮＯ）、ステップＳ３２６の処理を繰り返す。
（ステップＳ３２８）制御部３１は、端末装置１０との通信を終了し、端末装置１０とのユーザデータの通信に用いたリソースを解放する。その後、制御部３１は、通信終了通知情報を端末装置１０に送信する。但し、制御部３１は、端末装置１０との接続を維持する。その後、図１９に示す処理を終了する。
【００７１】
図２０は、本実施形態に係る端末装置１０における処理例を示すフローチャートである。
ステップＳ４２２、Ｓ４２４、Ｓ４２６の処理は、ステップＳ４０２、Ｓ４０４、Ｓ４０６の処理と同様であるため、それらの説明を援用する。
ステップＳ４２６において、制御部１１は、第２基地局装置３０との通信を開始した後、ステップＳ４２８の処理に進む。但し、制御部１１は、第１基地局装置２０との接続を維持する。
（ステップＳ４２８）通信可能許可取得部１１２は、第１基地局装置２０から、サービング基地局として第２基地局装置３０から第１基地局装置２０への呼び戻しを示す呼戻指示情報を待ち受け、呼戻指示情報を受信したか否かを判定する。通信可能許可取得部１１２は、呼戻指示情報を受信するとき（ステップＳ４２８  ＹＥＳ）、ステップＳ４３０の処理に進む。呼戻指示情報を受信しないとき（ステップＳ４２８  ＮＯ）、ステップＳ４２８の処理を繰り返す。
（ステップＳ４３０）通信接続切替部１１４は、サービング基地局装置として第２基地局装置３０から通信指示情報で示される第１基地局装置２０に切り替える。ここで、制御部１１が基地局装置を切り替え、第１基地局装置２０との通信を開始するまでの処理は、ステップＳ４１０と同様であってもよい。但し、制御部１１は、第２基地局装置３０との接続を維持する。その後、図２０に示す処理を終了する。
【００７２】
次に、本実施形態に係る通信処理の他の例について説明する。但し、図２１に示す例では、第１基地局装置２０と電子機器４０が通信接続ＩＩを既に確立し、相互に通信中である。他方、端末装置１０には電力が供給されず（電源ＯＦＦ）、その機能を停止している。その後、図２２に示すように、端末装置１０は動作を開始し（電源ＯＮ）、第１基地局装置２０との通信の開始を試み、通信接続Ｉを確立する。このとき、第１基地局装置２０の通信状況判定部２１６は、電子機器４０よりも端末装置１０の方が、優先度が低いと判定する。通信状況判定部２１６は、端末装置１０が在圏する第２基地局装置３０を特定し、端末装置１０にサービング基地局装置として第２基地局装置３０を指示する。端末装置１０は、通信接続Ｉを維持する。他方、端末装置１０は、第２基地局装置３０に対して通信を要求し、通信接続ＩＩＩを確立してユーザデータの通信を開始する。
その後、第１基地局装置２０は、サービング基地局装置の切り替えの原因となった電子機器４０との通信が終了するとき、未使用の通信量が端末装置１０との通信に要求される通信量を超えると判定する。図２３に示すように、第１基地局装置２０は、切り替え前の第１基地局装置２０へのサービング基地局装置への呼び戻しを示す呼戻指示情報を端末装置１０に送信する。そして、端末装置１０は、サービング基地局装置を第２基地局装置３０から第１基地局装置２０に切り替える。このとき、第２基地局装置３０と端末装置との通信接続ＩＩＩが維持される。
【００７３】
次に、本実施形態に係る通信処理の他の例について説明する。
図２４は、本実施形態に係る通信処理の他の例を示すシーケンス図である。図２４に示す処理は、図２１、図２２、図２３に示す状況に順次遷移する場合を例にする。
【００７４】
（ステップＳ１４２）端末装置１０の制御部１１は、ユーザの操作に応じて通信開始が指示されるとき、第１基地局装置２０との通信を開始する。
（ステップＳ１４４）制御部１１は、自装置の端末情報を含む通信開始要求情報を第１基地局装置２０に送信する。第１基地局装置２０の接続端末記憶部２１４は、端末装置１０から受信した通信開始要求情報から端末情報を抽出して自部に記憶する。
【００７５】
（ステップＳ１４６）第１基地局装置２０の通信状況判定部２１６は、端末装置１０と電子機器４０それぞれの機種を特定し、電子機器４０との通信量と最大通信量に基づいて未使用の通信量を特定する。通信状況判定部２１６は、端末装置１０との通信で要求される通信量を特定し、特定した通信量が未使用の通信量と比較して多いため、電子機器４０との通信を端末装置１０との通信よりも優先すると判定する。
通信状況判定部２１６は、端末装置１０からの測定報告に基づいて自装置が在圏している他の基地局装置として第２基地局装置３０を定める。制御部２１は、第２基地局装置３０を用いた通信を指示する通信指示情報を端末装置１０に送信する。但し、制御部２１は、端末装置１０とのユーザデータの通信を行わないが、端末装置１０との接続を確立し、接続に要するリソースを確保する。
【００７６】
（ステップＳ１４８）端末装置１０の通信可能許可取得部１１２が、第１基地局装置２０から通信指示情報を受信するとき、通信接続切替部１１４は、通信指示情報で示される第２基地局装置３０に通信開始要求情報を送信する。
（ステップＳ１５０）第２基地局装置３０の制御部３１は、端末装置１０から受信した通信開始通知情報を受信するとき、端末装置１０との通信に用いるリソースを割り当てる。制御部３１は、割り当てたリソースを示すリソース情報とともに通信開始通知情報を端末装置１０に送信する。端末装置１０の制御部１１は、第２基地局装置３０から通信開始通知情報を受信するとき、通知されたリソース情報が示すリソースを用いて第２基地局装置３０との通信を開始する。  
【００７７】
（ステップＳ１５２）電子機器４０は、ユーザの操作に応じて動作終了が指示されるとき、第１基地局装置２０からの受信信号の受信を終了する（通信終了）。
（ステップＳ１５４）電子機器４０は、通信終了要求情報を第１基地局装置２０に送信する。第１基地局装置２０の制御部２１は、電子機器４０から通信終了要求情報を受信するとき電子機器４０との通信に割り当てたリソースを解放し、電子機器４０との接続を切断する。また、制御部２１は、接続端末記憶部２１４に記憶した電子機器４０の端末情報を消去する。
【００７８】
（ステップＳ１５６）第１基地局装置２０の制御部２１は、電子機器４０に通信終了通知情報を送信する。電子機器４０は、第１基地局装置２０から通信終了通知情報を受信するとき、自装置の動作を停止する。
（ステップＳ１５８）第１基地局装置２０の通信状況判定部２１６は、接続端末記憶部２１４に記憶された端末情報を参照して、電子機器４０との通信の終了と未使用の通信量を判定する。通信状況判定部２１６は、その時点において未使用の通信量が端末装置１０との通信に要する通信量よりも多いと判定する。また、通信状況判定部２１６は、保存した切替通信情報を参照して、対象となった通信に係る端末装置１０と使用を指示した第２基地局装置３０を特定する。その後、制御部２１は、端末装置１０に、サービング基地局装置として第２基地局装置３０から自装置への呼び戻しを示す呼戻指示情報を送信する。
【００７９】
（ステップＳ１６０）端末装置１０の通信可能許可取得部１１２が第１基地局装置２０から呼戻指示情報を受信するとき、通信接続切替部１１４は、サービング基地局装置を第２基地局装置３０から第１基地局装置２０に切り替える。ここで、通信接続切替部１１４は、第２基地局装置３０へ通信終了要求情報を送信する。
（ステップＳ１６２）第２基地局装置３０の制御部３１は、端末装置１０から通信終了要求情報を受信し、端末装置１０とのユーザデータの通信を停止する。制御部３１は、端末装置１０へ通信終了通知情報を送信する。但し、制御部３１は、端末装置１０との接続を切断せず継続する。制御部３１は、接続に要する最小限のリソースを確保し、ユーザデータの通信に要するリソースを解放する。
【００８０】
（ステップＳ１６４）端末装置１０の制御部１１は、第２基地局装置３０から通信終了通知情報を受信するとき、第１基地局装置２０へ通信開始要求情報を送信する。
（ステップＳ１６６）第１基地局装置２０の制御部２１は、接続端末記憶部２１４に端末装置１０から受信した通信開始要求情報に含まれる端末情報を記憶する。通信状況判定部２１６は、端末装置１０との通信を開始すると判定する。通信状況判定部２１６は、端末装置１０とのユーザデータの通信に用いるリソースを割り当て、割り当てたリソース情報を通信開始通知情報に含めて端末装置１０に送信する。その後、端末装置１０の制御部１１は第１基地局装置２０から受信した通信開始通知情報に含まれるリソース情報が示すリソースを用いて第１基地局装置２０との通信を再開する。その後、図２４に示す処理を終了する。
【００８１】
次に、本実施形態に係る第１基地局装置２０、第２基地局装置３０および端末装置１０における他の処理例について説明する。次に説明する処理例は、図２４に示す処理における各装置の動作を示す。  
図２５は、本実施形態に係る第１基地局装置２０における他の処理例を示すフローチャートである。
【００８２】
（ステップＳ２４２）制御部２１は、電子機器４０との接続を確立し、電子機器４０との間でユーザデータの通信を開始する。
（ステップＳ２４４）制御部２１は、端末装置１０からの通信開始要求情報（接続要求）を待ち受け、通信要求情報を受信するとき（ステップＳ２４４  ＹＥＳ）、ステップＳ２４６の処理に進む。制御部２１は、通信要求情報を受信しないとき（ステップＳ２４４  ＮＯ）、ステップＳ２４４の処理を継続する。
（ステップＳ２４６）接続端末記憶部２１４は、制御部２１が受信した通信開始要求情報から端末情報を抽出して記憶する。その後、ステップＳ２４８の処理に進む。
（ステップＳ２４８）通信状況判定部２１６は、電子機器４０との通信を端末装置１０との通信よりも優先し、端末装置１０の通信先とする基地局装置を切り替えるか否かを判定する。通信状況判定部２１６が、基地局装置を切り替えると判定するとき（ステップＳ２４８  ＹＥＳ）、ステップＳ２５０の処理に進む。通信状況判定部２１６は、切り替えないと判定するとき（ステップＳ２４８  ＮＯ）、制御部２１は、端末装置１０との接続を確立し、端末装置１０との通信を開始する。その後、制御部２１は、図２５に示す処理を終了する。
（ステップＳ２５０）通信状況判定部２１６は、端末装置１０からの測定報告に基づいて自装置が在圏している他の基地局装置として第２基地局装置３０を定める。
その後、通信状況判定部２１６は、第２基地局装置３０を用いた通信を指示する通信指示情報を端末装置１０に送信する。但し、制御部２１は、端末装置１０との接続を確立する。その後、ステップＳ２５２の処理に進む。
【００８３】
（ステップＳ２５２）制御部２１は、電子機器４０から通信終了要求情報（切断要求）を待ち受け、通信終了要求情報を受信するとき（ステップＳ２５２  ＹＥＳ）、ステップＳ２５４の処理に進む。制御部２１は、通信終了要求情報を受信しないとき（ステップＳ２５２  ＮＯ）、ステップＳ２５２の処理を繰り返す。
（ステップＳ２５４）制御部２１が電子機器４０との接続を切断し、切り替え対象となった通信に係る端末装置１０と切り替え先の第２基地局装置３０を特定する。電子機器４０との接続を切断し、切り替え対象となった通信に係る端末装置１０と切り替え先の第２基地局装置３０を特定するまでの処理は、ステップＳ２１４の処理と同様であるため、それらの説明を援用する。
その後、制御部２１は、端末装置１０に、第２基地局装置３０から自装置への呼び戻しを示す呼戻指示情報を送信する。その後、図２５に示す処理を終了する。
【００８４】
図２６は、本実施形態に係る第２基地局装置３０における処理例を示すフローチャートである。図２６のステップＳ３４２、Ｓ３４４の処理は、図１９のステップＳ３２２、Ｓ３２４の処理と同様であるため、それらの説明を援用する。
（ステップＳ３４６）制御部３１は、端末装置１０から通信終了要求情報を待ち受け、通信終了要求情報を受信したか否かを判定する。制御部３１が通信終了要求情報を受信するとき（ステップＳ３４６  ＹＥＳ）、ステップＳ３４８の処理に進む。制御部３１が通信終了要求情報を受信しないとき（ステップＳ３４６  ＮＯ）、ステップＳ３４６の処理を繰り返す。
（ステップＳ３４８）制御部３１は、端末装置１０から通信終了要求情報を受信し、端末装置１０とのユーザデータの通信を停止する。制御部３１は、端末装置１０へ通信終了通知情報を送信する。但し、制御部３１は、端末装置１０との接続を維持する。その後、図２６に示す処理を終了する。
【００８５】
図２７は、本実施形態に係る端末装置１０における処理例を示すフローチャートである。
（ステップＳ４４２）制御部１１は、操作により通信開始が指示されるとき、自装置が在圏している第１基地局装置２０に通信開始要求情報を送信する（接続要求）。その後、ステップＳ４４４の処理に進む。
（ステップＳ４４４）通信可能許可取得部１１２は、第１基地局装置２０からの通信指示情報（切替指示）を待ち受け、通信指示情報を受信したか否かを判定する。通信可能許可取得部１１２は、通信指示情報を受信するとき（ステップＳ４４４  ＹＥＳ）、ステップＳ４４６の処理に進む。通信指示情報を受信しないとき（ステップＳ４４４  ＮＯ）、ステップＳ４５０の処理に進む。
【００８６】
（ステップＳ４４６）通信接続切替部１１４は、通信指示情報で示される第２基地局装置３０に通信開始要求情報を送信する。制御部１１は、第２基地局装置３０から通信開始通知情報を受信するとき、通信開始情報とともに通知されたリソース情報が示すリソースを用いて第２基地局装置３０との通信を開始する。その後、ステップＳ４４８の処理に進む。
（ステップＳ４４８）通信可能許可取得部１１２は、第１基地局装置２０からの呼戻指示情報を待ち受け、呼戻指示情報を受信したか否かを判定する。通信可能許可取得部１１２は、呼戻指示情報を受信するとき（ステップＳ４４８  ＹＥＳ）、通信接続切替部１１４は、第２基地局装置３０へ通信終了要求情報を送信する。制御部１１は、第２基地局装置３０から通信終了通知情報を受信するとき、第１基地局装置２０へ通信開始要求情報を送信する。このとき、制御部１１は、第２基地局装置との接続を維持する。その後、ステップＳ４５０の処理に進む。通信可能許可取得部１１２は、呼戻指示情報を受信しないとき（ステップＳ４４８  ＮＯ）、ステップＳ４４８の処理を繰り返す。
（ステップＳ４５０）制御部１１は第１基地局装置２０から受信した通信開始通知情報に含まれるリソース情報が示すリソースを用いて第１基地局装置２０との通信を開始する。その後、図２７に示す処理を終了する。
【００８７】
（まとめ）
以上に説明したように、第1基地局装置２０は、無線で通信する通信部２２と、制御部２１と、を備える。制御部２１は、少なくとも第１端末装置との通信中に、第２端末装置と新たに開始する通信に要する通信量が未使用の通信量以下となる第１の場合において、第１端末装置(例えば、端末装置１０)と第２端末装置（例えば、電子機器４０）のいずれかである対象端末装置（例えば、端末装置１０）に、自装置とは別個の前記対象端末装置を圏内とする第２基地局装置３０との通信指示を送信する。制御部２１は、対象端末装置との通信に要する通信量が未使用の通信量を超える第２の場合において、対象端末装置または第２基地局装置に、第２基地局装置から自装置への呼戻指示を送信する。
この構成によれば、輻輳を回避しながら、通信に用いる基地局装置の変更を行った対象端末装置に対して、変更前の基地局装置に呼び戻すことができる。そのため、通信システム１、２全体としての信頼性を向上することができる。
【００８８】
また、制御部２１は、第１端末装置を対象端末装置として定める場合、第１端末装置との通信に用いる基地局装置として自装置から第２基地局装置３０への切り替えを示す切替指示を通信指示として送信してもよい。
この構成によれば、自装置との通信を行っていた第１端末装置が用いる基地局装置を第２基地局装置３０に変更することで、自装置での輻輳を回避するとともに、通信を継続することができる。
【００８９】
また、制御部２１は、第２端末装置を対象端末装置として定める場合、第２端末装置との通信に用いる基地局装置として第２基地局装置３０を示す通信指示を送信してもよい。
この構成によれば、新たに自装置との通信を試みる第２端末装置に対して第２基地局装置３０との通信を開始することができるので、自装置での輻輳を回避するとともに第２端末装置に対して新たな通信を開始させることができる。
【００９０】
また、第１基地局装置２０が第２基地局装置３０と共通のネットワークに属するとき、制御部２１は、上記の第２の場合、ネットワークを経由して第２基地局装置３０に呼戻指示を送信してもよい。
この構成によれば、第１基地局装置２０と対象端末装置とが無線で接続されていない場合でも、通信に用いる基地局装置として第２基地局装置３０から自装置に確実に呼び戻すことができる。
【００９１】
また、第１基地局装置２０が第２基地局装置３０と異なるネットワークに属するとき、制御部２１は、対象端末装置に通信指示を送信した後、対象端末装置との接続を維持してもよい。
この構成によれば、対象端末装置が第２基地局装置３０を用いて通信しているとき呼戻指示を受信した後、通信に用いる基地局装置を自装置に呼び戻す場合であっても、新たに自装置との接続を確立することなく即座に自装置への呼び戻しを実現することができる。
【００９２】
また、制御部２１は、通信に要する通信量が多い端末装置ほど自装置との通信を優先してもよい。
この構成によれば、未使用の通信量が通信に要する通信量に不足することによる基地局装置の切り替えに失敗する可能性を低減できるので、通信システム１、２全体として信頼性が向上する。
【００９３】
また、制御部２１は、移動して使用されうる端末装置１０よりも、固定して使用される端末装置と自装置との通信を優先してもよい。
この構成によれば、固定して使用される端末装置に対して他の基地局装置の圏内に所在しない、もしくは、その圏内に所在したとしても、基地局装置の切り替えに失敗する可能性を低減できるので、通信システム１、２全体として信頼性が向上する。
【００９４】
また、制御部２１は、第２基地局装置３０で用いられる通信方式に対応した端末装置１０よりも、当該通信方式に対応していない端末装置と自装置との通信を優先してもよい。
この構成によれば、第２基地局装置３０に対応していないことで、第２基地局装置３０との接続が確立しないために、通信できなくなる可能性を低減できるので、通信システム１、２全体として信頼性が向上する。
【００９５】
以上、図面を参照してこの発明の実施形態について説明してきたが、具体的な構成は上述のものに限られることはなく、この発明の要旨を逸脱しない範囲内において様々な設計変更等をすることが可能である。
【００９６】
例えば、第１の実施形態において、図２４に示す第２の実施形態の変形例と同様に、超高精細度テレビジョン受信機である電子機器４０と第１基地局装置２０との通信中に、制御部２１が端末装置１０から通信開始要求情報を受信し、通信状況判定部２１６が電子機器４０との通信を端末装置１０との通信よりも優先すると判定する場合がある。この場合、制御部２１は、第２基地局装置３０を用いた通信を指示する通信指示情報を端末装置１０に送信する。制御部２１は、端末装置１０との接続を切断してもよい。また、通信状況判定部２１６が電子機器４０との通信の終了後、未使用の通信量が端末装置１０との通信に要する通信量よりも多いと判定する場合がある。この場合、制御部２１は、端末装置１０に第２基地局装置３０から自装置への呼び戻しを示す呼戻指示情報を送信することに代え、第２基地局装置に呼戻指示情報を送信すればよい。
【００９７】
上記の説明では、端末装置１０が携帯電話機、電子機器４０が超高精細度テレビジョン受信機である場合を例にしたが、これには限られない。各基地局装置と接続もしくは接続される可能性がある端末装置の種別は、タブレット端末装置などのその他の形態の情報端末装置、冷蔵庫、空調機などの家電、その他のＩｏＴ機器であってもよい。また、１台の端末装置との新たな接続により、サービング基地局装置の切り替え対象となる接続中の端末装置の台数は複数となってもよい。また、一度に呼び戻し対象となる端末装置は、サービング基地局装置が切り替えられた複数の端末装置の全部であってもよいし、その一部であってもよい。これにより、複数の機器が1台の基地局装置に接続し、その基地局装置が提供可能とするリソースの大部分が占有される場合でも、より柔軟に通信接続を分散することができる。従って、通信システム１、２全体として輻輳を回避するための運用をより効率化することができる。
【００９８】
また、端末装置１０において、第１受信部１２１と第１送信部１２２とで共通の１個以上のアンテナが設置されてもよいし、別個に１個以上のアンテナが設置されてもよい。また、第２受信部１２３と第２送信部１２４とで共通の１個以上のアンテナが設置されてもよいし、別個に１個以上のアンテナが設置されてもよい。第１受信部１２１、第１送信部１２２、第２受信部１２３、第２送信部１２４の全てについて共通のアンテナが設置されてもよい。
第１基地局装置２０において、第１受信部２２１と第１送信部２２２とで共通の１個以上のアンテナが設置されてもよいし、別個に１個以上のアンテナが設置されてもよい。また、第２受信部２２３と第２送信部２２４とで共通の１個以上のアンテナが設置されてもよいし、別個に１個以上のアンテナが設置されてもよい。第１受信部２２１、第１送信部２２２、第２受信部２２３、第２送信部２２４の全てについて共通のアンテナが設置されてもよい。
【００９９】
なお、上記の実施形態に係る端末装置１０の一部（例えば、制御部１１）、第１基地局装置２０の一部（例えば、制御部２１）、第２基地局装置３０の一部（例えば、制御部３１）、電子機器４０の一部のそれぞれは、１個または複数のプロセッサ、記憶媒体、入出力インタフェースおよびコンピュータ読み取り可能な記録媒体などからなるコンピュータで実現するようにしてもよい。その場合、そのそれぞれもしくは全体の機能を実現するためのプログラムを、それぞれの装置が備える記憶媒体に記録しておき、記録されたプログラムをコンピュータシステムに読み込ませ、読み込んだプログラムに記述された命令で指示される処理を実行することによって実現してもよい。なお、「コンピュータシステム」とは、端末装置１０、第１基地局装置２０、第２基地局装置３０、電子機器４０に内蔵されたコンピュータシステムであって、ＯＳ（Ｏｐｅｒａｔｉｎｇ  Ｓｙｓｔｅｍ）や周辺機器等のハードウェアを含むものとする。プロセッサは、ＣＰＵ、ＧＰＬＤ（Ｐｒｏｇｒａｍｍａｂｌｅ  Ｌｏｇｉｃ  Ｄｅｖｉｃｅ）などのいずれであってもよい。
また、「コンピュータ読み取り可能な記録媒体」とは、フレキシブルディスク、光磁気ディスク、ＲＯＭ（Ｒｅａｄ  Ｏｎｌｙ  Ｍｅｍｏｒｙ）、ＣＤ（Ｃｏｍｐａｃｔ  Ｄｉｓｃ）（登録商標）−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
【符号の説明】
【０１００】
１、２…通信システム、１０…端末装置、１１…制御部、１２…通信部、１２ａ…第１通信部、１２ｂ…第２通信部、２０…第１基地局装置、２１…制御部、２２…通信部、２２ａ…第１通信部、２２ｂ…第２通信部、３０…第２基地局装置、３１…制御部、３２…通信部、４０…電子機器、１１２…通信可能許可取得部、１１４…通信接続切替部、１２１…第１受信部、１２２…第１送信部、１２３…第２受信部、１２４…第２送信部、２１４…接続端末記憶部、２１６…通信状況判定部、２２１…第１受信部、２２２…第１送信部、２２３…第２受信部、２２４…第２送信部、３１２…呼戻情報監視部、３２１…第１受信部、３２２…第１送信部
【図１】
2020127146.tif 000003
【図２】
2020127146.tif 000004
【図３】
2020127146.tif 000005
【図４】
2020127146.tif 000006
【図５】
2020127146.tif 000007
【図６】
2020127146.tif 000008
【図７】
2020127146.tif 000009
【図８】
2020127146.tif 000010
【図９】
2020127146.tif 000011
【図１０】
2020127146.tif 000012
【図１１】
2020127146.tif 000013
【図１２】
2020127146.tif 000014
【図１３】
2020127146.tif 000015
【図１４】
2020127146.tif 000016
【図１５】
2020127146.tif 000017
【図１６】
2020127146.tif 000018
【図１７】
2020127146.tif 000019
【図１８】
2020127146.tif 000020
【図１９】
2020127146.tif 000021
【図２０】
2020127146.tif 000022
【図２１】
2020127146.tif 000023
【図２２】
2020127146.tif 000024
【図２３】
2020127146.tif 000025
【図２４】
2020127146.tif 000026
【図２５】
2020127146.tif 000027
【図２６】
2020127146.tif 000028
【図２７】
2020127146.tif 000029